(57)【要約】      （修正有）【課題】直接に画像獲得ユニットを放送ユニットに接続して、必要とする一部の映像及び音声信号を捕獲でき、別に複雑なソフトウェアを必要しなくて簡単に操作使用でき且つコストダウンの効果が得られる人工知能を持つビデオ処理装置を提供する。【解決手段】操作ユニットは、一部の映像及び音声信号のＣＡＰＴＵＲＥコマンドを入力でき、画像獲得ユニットは、操作ユニットに接続され、人工知能解析モジュールを有し、映像及び音声信号を受信した後、映像及び音声を、映像及び音声放送信号に統合処理してから、人工知能解析モジュールによって解析し、必要とする一部の映像及び音声信号を捕獲し、また、捕獲した一部の映像及び音声信号を放送ユニットに出力して放送し、放送ユニットは、画像獲得ユニットに接続され、画像獲得ユニットからの映像及び音声信号を受信した後、一画面多出力の映像及び音声信号を放送する。【選択図】図２
0003231613.tif 000002
【実用新案登録請求の範囲】
【請求項１】
一部の映像及び音声信号のＣＡＰＴＵＲＥコマンドを入力できる操作ユニットと、
当該操作ユニットに接続されて、人工知能解析モジュールを有し、映像及び音声信号を受信して、その映像及び音声を、映像及び音声放送信号に統合処理してから、当該人工知能解析モジュールによって解析して、必要とする一部の映像及び音声信号を捕獲し、また、捕獲した一部の映像及び音声信号を放送ユニットに出力して放送する画像獲得ユニットと、
当該画像獲得ユニットに接続され、当該画像獲得ユニットからの映像及び音声信号を受信した後、一画面多出力の映像及び音声信号を放送する放送ユニットと、が含まれる
ことを特徴とする人工知能を持つビデオ処理装置。
【請求項２】
当該放送ユニットは、映像及び音声ディスプレーである
ことを特徴とする請求項１に記載の人工知能を持つビデオ処理装置。
【請求項３】
当該放送ユニットは、スクリーンとスピーカーの組合せである
ことを特徴とする請求項１または請求項２に記載の人工知能を持つビデオ処理装置。
【請求項４】
当該操作ユニットは、電子デバイスや制御機器或いは、指令入力可能の設備である
ことを特徴とする請求項１に記載の人工知能を持つビデオ処理装置。
【請求項５】
当該操作ユニットは、コンピューターである
ことを特徴とする請求項１から請求項４のいずれかに記載の人工知能を持つビデオ処理装置。
【考案の詳細な説明】
【技術分野】
【０００１】
本考案は、人工知能を持つビデオ処理装置に関し、特に、簡単に操作でき、コストダウンできる、人工知能を持つビデオ処理装置に関する。
【背景技術】
【０００２】
一般のマルチメディア伝送装置は、必要とする一部の映像及び音声信号を捕獲する時（例えば、ある画面を、或いは、ある画面の一部の画面を捕獲する時）、少なくとも、一つの人工知能ソフトウェアに合わせて、画像を捕獲しなければならない。そのため、使用不便だけでなく、ソフトウェアを購入することにより、コストが高くなる欠点がある。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、直接に、画像獲得ユニットを放送ユニットに接続して、必要とする一部の映像及び音声信号を捕獲でき、別に、複雑なソフトウェアを必要しなくて、簡単に操作使用でき、且つ、コストダウンの効果が得られる、人工知能を持つビデオ処理装置を提供する。
【課題を解決するための手段】
【０００５】
上記の目的を達成するため、本考案に係る人工知能を持つビデオ処理装置は、操作ユニットと画像獲得ユニット及び放送ユニットが含まれる。当該操作ユニットは、一部の映像及び音声信号のＣＡＰＴＵＲＥコマンドを入力でき、当該画像獲得ユニットは、当該操作ユニットに接続され、人工知能解析モジュールを有し、映像及び音声信号を受信した後、映像及び音声を、映像及び音声放送信号に統合処理してから、当該人工知能解析モジュールによって解析されて、必要とする一部の映像及び音声信号を捕獲し、また、捕獲した一部の映像及び音声信号を当該放送ユニットに出力して放送し、当該放送ユニットは、当該画像獲得ユニットに接続され、当該画像獲得ユニットからの映像及び音声信号を受信した後、一画面多出力の映像及び音声信号を放送する。
【０００６】
上記の人工知能を持つビデオ処理装置には、当該放送ユニットが、映像及び音声ディスプレーである。
【０００７】
上記の人工知能を持つビデオ処理装置には、当該放送ユニットが、スクリーンとスピーカーの組合せである。
【０００８】
上記の人工知能を持つビデオ処理装置には、当該操作ユニットが、電子デバイスや制御機器或いは、指令入力可能の設備である。
【０００９】
上記の人工知能を持つビデオ処理装置には、当該操作ユニットが、コンピューターである。
【００１０】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１１】
図１と図２は、それぞれ、本考案の外観概念図と本考案のブロック概念図である。図のように、本考案に係る人工知能を持つビデオ処理装置は、操作ユニット３と画像獲得ユニット２及び放送ユニット１が含まれる。
【００１２】
当該操作ユニット３は、一部の映像及び音声信号のＣＡＰＴＵＲＥコマンドを入力できる。
【００１３】
当該画像獲得ユニット２は、当該操作ユニット３に接続され、人工知能解析モジュール２１を有し、映像及び音声信号を受信した後、映像及び音声を、映像及び音声放送信号に統合処理し、当該人工知能解析モジュール２１によって解析されて、必要とする一部の映像及び音声信号を捕獲し、また、捕獲した一部の映像及び音声信号を、当該放送ユニット１へ出力して放送する。
【００１４】
当該放送ユニット１は、当該画像獲得ユニット２に接続され、当該画像獲得ユニット２からの映像及び音声信号を受信した後、一画面多出力の映像及び音声信号を放送する。
【００１５】
本考案の実施例によれば、当該放送ユニット１は、映像及び音声ディスプレーであり、例えば、スクリーンとスピーカーの組合せである。
【００１６】
本考案の実施例によれば、当該操作ユニット３は、コンピューターである。また、実用に応じて、他の電子デバイスや制御機器或いは、指令入力可能の設備を、当該操作ユニット３とすることができる。
【００１７】
本考案に係る人工知能を持つビデオ処理装置によれば、当該放送ユニット１によって、映像及び音声信号が受信されて、一画面多出力の映像及び音声信号を放送でき、放送中、一部の映像及び音声信号を捕獲しようとする時、当該操作ユニット３で、捕獲したい部分の指令を入力して、当該指令を、当該画像獲得ユニット２に伝送し、当該画像獲得ユニット２が指令を受信した後、映像及び音声信号に対して、映像及び音声を、映像及び音声放送信号に統合処理を行い、また、当該人工知能解析モジュール２１によって解析され、必要とする一部の映像及び音声信号を捕獲して、捕獲した一部の映像及び音声信号を、当該放送ユニット１に出力して放送する。これにより、直接に、当該画像獲得ユニット２を放送ユニット１に接続して、必要とする一部の映像及び音声信号を捕獲でき、、別に、複雑なソフトウェアを必要しなくて、簡単に操作使用でき、且つ、コストダウンの効果が得られる。
【００１８】
以上のように、本考案に係る人工知能を持つビデオ処理装置は、有効に、従来の諸欠点を解消でき、直接に、画像獲得ユニットを、放送ユニットに接続して、必要とする一部の映像及び音声信号を捕獲できるから、別に、複雑なソフトウェアを必要しなくて、簡単に操作使用でき、且つ、コストダウンの効果が得られ、そのため、本考案は、より進歩的かつより実用的で、法に従って実用新案登録請求を出願する。
【００１９】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２０】
【図１】本考案の外観概念図
【図２】本考案のブロック概念図
【符号の説明】
【００２１】
１  放送ユニット
２  画像獲得ユニット
２１  人工知能解析モジュール
３  操作ユニット
【図１】
0003231613.tif 000003
【図２】
0003231613.tif 000004